(57)【要約】【課題】複合機の置かれた場所で利用者に必要なＷＥＢデータを自動表示する複合機を提供する。【解決手段】本発明の複合機は、接続するＷＥＢデータのＵＲＬのリストを記憶する記憶媒体と、前記ＷＥＢデータに接続するネットワークＩ／Ｆ部と、前記ＷＥＢデータを表示するＷＥＢ表示部と、一定時間ごとに前記ＵＲＬのリストに含まれる別のＵＲＬを読み込んで、前記ネットワークＩ／Ｆ部に前記ＵＲＬへ接続させ、接続先のＷＥＢデータを自動で、ＷＥＢ表示部に表示させる制御部と、ＷＥＢ表示部に表示させたＷＥＢデータを印刷するプリンター部を備える。【選択図】図３
2011217027.tif 000002
【特許請求の範囲】
【請求項１】
ＷＥＢデータのＵＲＬのリストを記憶する記憶媒体と、
前記ＷＥＢデータに接続するネットワークＩ／Ｆ部と、
前記ＷＥＢデータを表示するＷＥＢ表示部と、
一定時間ごとに前記ＵＲＬのリストに含まれる別のＵＲＬを読み込んで、前記ネットワークＩ／Ｆ部に前記ＵＲＬへ接続させ、接続先の前記ＷＥＢデータを自動で、前記ＷＥＢ表示部に表示させる制御部と、
前記ＷＥＢ表示部に表示させた前記ＷＥＢデータを印刷するプリンター部と
を備える複合機。
【請求項２】
請求項１の複合機において、
前記接続先のＷＥＢデータを外部モニターに表示する外部出力部
を備える複合機。
【請求項３】
請求項１の複合機において、
前記接続先のＷＥＢデータを表示している状態から、複合機のプリンター部、スキャナ部、ファクシミリ部を動作させることができ、前記プリンター部、前記スキャナ部、前記ファクシミリ部の動作終了後、自動的に前記接続先のＷＥＢデータを表示させる制御部と
を備える複合機。
【請求項４】
複合機に実施させるＷＥＢデータ自動表示方法であって、
ＷＥＢデータのＵＲＬのリストを参照するＵＲＬリスト参照ステップと、
前記ＷＥＢデータのＵＲＬに接続するＵＲＬ接続ステップと、
一定時間、前記ＷＥＢデータを表示するＷＥＢデータ表示ステップと、
一定時間後、前記ＷＥＢデータのＵＲＬのリストに含まれる別のＵＲＬに対して、前記ＵＲＬリスト参照ステップ、前記ＵＲＬ接続ステップ及び前記ＷＥＢデータ表示ステップを繰り返すステップと
を有する複合機のＷＥＢデータ自動表示方法。
【請求項５】
複合機に実施させるＷＥＢデータ自動表示方法であって、
請求項４の複合機のＷＥＢデータ自動表示方法を実施中に、前記複合機のプリンター部、スキャナ部及びファクシミリ部の動作を受け付けるステップと、
前記複合機の前記プリンター部、前記スキャナ部及び前記ファクシミリ部の動作終了を待つステップと、
前記複合機の前記プリンター部、前記スキャナ部及び前記ファクシミリ部の動作終了後、請求項４の複合機のＷＥＢデータ自動表示方法を実施するステップと
を有する複合機のＷＥＢデータ自動表示方法。
【請求項６】
ＷＥＢデータのＵＲＬのリストを参照させるＵＲＬリスト参照ステップと、
前記ＷＥＢデータのＵＲＬに接続させるＵＲＬ接続ステップと、
一定時間、前記ＷＥＢデータを表示させるＷＥＢデータ表示ステップと、
一定時間後、前記ＷＥＢデータのＵＲＬのリストに含まれる別のＵＲＬに対して、前記ＵＲＬリスト参照ステップ、前記ＵＲＬ接続ステップ及び前記ＷＥＢデータ表示ステップを繰り返させるステップと
を複合機に実行させるためのＷＥＢデータ自動表示プログラム。
【請求項７】
請求項４の複合機のＷＥＢデータ自動表示方法を実施中に、前記複合機のプリンター部、スキャナ部及びファクシミリ部の動作を受け付けさせるステップと、
前記複合機の前記プリンター部、前記スキャナ部及び前記ファクシミリ部の動作終了を待たせるステップと、
前記複合機の前記プリンター部、前記スキャナ部及び前記ファクシミリ部の動作終了後、請求項４の複合機のＷＥＢデータ自動表示方法を実施させるステップと
を複合機に実行させるためのＷＥＢデータ自動表示プログラム。
【発明の詳細な説明】
【技術分野】
【０００１】
本発明は、コピー機能、プリント機能、スキャナ機能、ファクシミリ機能等を有する複合機に関する。
【背景技術】
【０００２】
複合機に、ＷＥＢブラウザ機能を搭載し、複合機の表示パネルにＷＥＢデータの情報を表示させる技術が知られている。
【０００３】
特開２００８−２２９９９３号公報（特許文献１）は、ＷＥＢデータを表示可能な画像形成装置に関する技術である。この画像形成装置では、利用者が自ら画像形成装置のＷＥＢブラウザを操作することで、ＷＥＢデータを表示させている。また、この画像形成装置は、ＷＥＢサーバー上の情報やコンテンツに金銭的関連付けを行い、その情報及びコンテンツが印刷された量と場所を管理する印刷管理サーバーと通信接続する通信手段を備えている。この発明の構成には、画像形成装置の他に外部サーバーとして印刷管理サーバーを必要としている。
【先行技術文献】
【特許文献】
【０００４】
【特許文献１】特開２００８−２２９９９３号公報
【発明の概要】
【発明が解決しようとする課題】
【０００５】
本発明の目的は、インターネット上のＷＥＢデータを自動的に取得して表示し、利用者が必要であれば印刷することができる複合機を提供することにある。
【課題を解決するための手段】
【０００６】
本発明の複合機は、接続するＷＥＢデータのＵＲＬのリストを記憶する記憶媒体と、前記ＷＥＢデータに接続するネットワークＩ／Ｆ部と、前記ＷＥＢデータを表示するＷＥＢ表示部と、一定時間ごとに前記ＵＲＬのリストに含まれる別のＵＲＬを読み込んで、前記ネットワークＩ／Ｆ部に前記ＵＲＬへ接続させ、接続先のＷＥＢデータを自動で、ＷＥＢ表示部に表示させる制御部と、ＷＥＢ表示部に表示させたＷＥＢデータを印刷するプリンター部を備える。
【０００７】
本発明のＷＥＢデータ自動表示方法は、複合機により実施されるＷＥＢデータ自動表示方法である。このＷＥＢデータ自動表示方法は、ＷＥＢデータのＵＲＬのリストを参照するＵＲＬリスト参照ステップと、前記ＷＥＢデータのＵＲＬに接続するＵＲＬ接続ステップと、一定時間、前記ＷＥＢデータを表示するＷＥＢデータ表示ステップと、一定時間後、前記ＷＥＢデータのＵＲＬのリストに含まれる別のＵＲＬに対して、前記ＵＲＬリスト参照ステップ、前記ＵＲＬ接続ステップ及び前記ＷＥＢデータ表示ステップを繰り返すステップを有する。
【０００８】
本発明のＷＥＢデータ自動表示プログラムは、ＷＥＢデータのＵＲＬのリストを参照させるＵＲＬリスト参照ステップと、前記ＷＥＢデータのＵＲＬに接続させるＵＲＬ接続ステップと、一定時間、前記ＷＥＢデータを表示させるＷＥＢデータ表示ステップと、一定時間後、前記ＷＥＢデータのＵＲＬのリストに含まれる別のＵＲＬに対して、前記ＵＲＬリスト参照ステップ、前記ＵＲＬ接続ステップ及び前記ＷＥＢデータ表示ステップを繰り返させるステップとを複合機に実行させるためのプログラムである。なお、本発明のＷＥＢデータ自動表示プログラムは、複合機の記憶媒体に格納されている。
【発明の効果】
【０００９】
本発明によれば、インターネット上のＷＥＢデータを自動的に取得して表示し、利用者が必要であれば印刷することができる複合機を提供することができる。本発明の複合機に、複合機が置かれている場所で、利用者が必要となるようなＷＥＢデータのＵＲＬのみを登録して、自動で表示することによって、利用者が自ら検索することなく利用者にとって必要な情報を提供することができる。
【図面の簡単な説明】
【００１０】
【図１】図１は、本発明の実施形態における複合機のブロック図である。
【図２】図２は、本発明の実施形態における複合機のＷＥＢ表示部のブロック図である。
【図３】図３は、本発明の実施形態における複合機において、インターネットから自動的にＷＥＢデータを受信して、ＷＥＢデータを表示させる自動受信制御プログラムのフローチャートである。
【図４】図４は、本発明の実施形態における複合機において、ＷＥＢデータ自動受信中にＷＥＢデータを印刷する際のフローチャートである。
【図５】図５は、本発明の実施形態における複合機のタッチパネルに表示されるＷＥＢデータ印刷モードの表示画面である。
【発明を実施するための形態】
【００１１】
添付図面を参照して、本発明の実施形態による複合機を以下に説明する。
【００１２】
［構成の説明］
はじめに、本実施形態における複合機の内部構成の説明を行う。図１は、本発明の実施形態における複合機のブロック図である。制御部１０は、複合機の制御用回路である。ＲＡＭ２０は、メモリである。ＲＯＭ３０は、複合機の制御プログラムが格納されている記憶媒体である。ファクシミリ部４０は、データのアナログ信号への変調と、データのデジタル信号への復調を行うモデム回路である。ネットワークＩ／Ｆ部５０は、インターネット通信を行うＬＡＮ回路である。プリンター部６０は、画像データ等を記録用紙へ印字するプリンター回路である。スキャナ部７０は、原稿を読み取る回路である。操作パネル部８０は、タッチパネルや操作スイッチ等で構成される操作信号回路と、操作内容を表示する液晶モニター等から構成される操作部の回路である。システムバス９０は、制御部１０と他の機能回路を結ぶメインバス回路である。ＷＥＢ表示部１００は、タッチパネル付き液晶モニターを制御する回路である。外部出力部１０５は、タッチパネル付き液晶モニターを外部モニターとして接続するＩ／Ｆ制御回路である。
【００１３】
次に、本実施形態における複合機のＷＥＢ表示部１００の構成の説明を行う。図２は、本発明の実施形態における複合機のＷＥＢ表示部１００のブロック図である。ＷＥＢ表示部１００は、Ｉ／Ｆ制御部１１０、液晶モニターの表示制御部１２０、タッチパネルの入力センサー制御部１３０、タッチパネル機能付き液晶パネル２００から構成される。Ｉ／Ｆ制御部１１０は、システムバス９０とＷＥＢ表示部１００との接続を制御する回路である。Ｉ／Ｆ制御部１１０の利用例としては、パーソナルコンピューター等で用いられるＵＳＢ等やＢｌｕｅｔｏｏｔｈ等などの汎用Ｉ／Ｆ制御回路等を利用することができる。表示制御部１２０は、Ｉ／Ｆ制御部１１０にて受け取ったデータを復調し、タッチパネル機能付き液晶パネル２００に表示する回路である。入力センサー制御部１３０は、タッチパネル機能付き液晶パネル２００からのタッチパネルの入力信号を制御する回路である。
【００１４】
［動作方法の説明］
次に、本実施形態における複合機において、インターネットから自動的にＷＥＢデータを受信して、タッチパネル機能付き液晶パネル２００にＷＥＢデータを表示させるＷＥＢデータ自動受信制御プログラムの説明を行う。一般に、複合機の制御部は、コピー等の複合機の機能以外には利用されていないため、他のプログラムを実行する制御部の空き時間がある。そのため、複合機の制御部にインターネット上の情報を自動取得するプログラムの実行に割り当てても、複合機に大きな負荷がかかることはない。また、一般的に複合機は、コンピューターウイルス等による攻撃の対象とはなっていないため、セキュリティ面での安全性がある。図３は、本発明の実施形態における複合機において、インターネットから自動的にＷＥＢデータを受信して、ＷＥＢデータを表示させるＷＥＢデータ自動受信制御プログラムのフローチャートである。
【００１５】
（ステップＳ１００）
表示するＷＥＢデータのＵＲＬのリストから、次にタッチパネル機能付き液晶パネル２００に表示させるＷＥＢデータのＵＲＬを選択し、アドレスに設定する。表示するＷＥＢデータのＵＲＬのリストは、ＲＯＭ３０に記憶されている。表示するＷＥＢデータのＵＲＬは、複合機の管理者が、タッチパネルに表示されるソフトウェアキーボード等から設定、更新することができる。
【００１６】
（ステップＳ１１０）
利用者がタッチパネル等から、用紙印字等の別の処理を要求した場合には、制御部１０で動作中のＷＥＢデータ自動受信制御プログラムは、ＷＥＢデータ自動受信停止命令を受信する。
【００１７】
ＷＥＢデータ自動受信停止命令を受信していない場合には、ステップＳ１２０に進み、ＷＥＢデータ自動受信停止命令を受信している場合には、ＷＥＢデータ自動受信プログラムを終了する。
【００１８】
（ステップＳ１２０）
ステップＳ１００で設定されたアドレスに接続し、ＷＥＢデータを受信する。
【００１９】
（ステップＳ１３０）
ステップＳ１２０で受信したＷＥＢデータをタッチパネル機能付き液晶パネル２００に表示する。
【００２０】
（ステップＳ１４０）
指定された表示時間の間、ステップＳ１００で受信したデータの内容を表示し続ける。
【００２１】
（ステップＳ１５０）
ステップＳ１２０で同じＵＲＬへ接続した回数と、同じＵＲＬに再接続する回数である指定接続回数を比較する。ステップＳ１２０で接続した回数が指定接続回数以内である場合には、ステップＳ１１０に進む。このようにすることで、ＷＥＢサーバー側でデータが変更された場合に、即座に複合機のＷＥＢデータ表示を、最新の状態にすることができる。ステップＳ１２０で同じＵＲＬへ接続した回数が指定接続回数を超えている場合には、ステップＳ１６０に進む。
【００２２】
（ステップＳ１６０）
利用者がタッチパネル等から、用紙印字等の別の処理を要求した場合には、制御部１０で動作中のＷＥＢデータ自動受信制御プログラムは、ＷＥＢデータ自動受信停止命令を受信する。
【００２３】
ＷＥＢデータ自動受信停止命令を受信していない場合には、ステップＳ１００に進み、表示するＷＥＢデータのＷＥＢデータのＵＲＬのリストから、次にタッチパネル機能付き液晶パネル２００に表示させるＷＥＢデータのＵＲＬをアドレスに設定する。次にアドレスに設定するＷＥＢデータのＵＲＬは、ＵＲＬのリストの上から順番に設定していき、最後のＵＲＬを読み込んだ後に、先頭に戻って表示する方法の他、ＵＲＬのリストからランダムにＵＲＬを選択する方法等が考えられる。ＷＥＢデータ自動受信停止命令を受信している場合には、ＷＥＢデータ自動受信プログラムを終了する。
【００２４】
次に、本実施形態における複合機において、ＷＥＢデータ自動受信制御プログラムの動作中に、利用者が表示されているＷＥＢデータの印刷をする際の説明を行う。図４は、本発明の実施形態における複合機において、ＷＥＢデータ自動受信中にＷＥＢデータを印刷する際のフローチャートである。
【００２５】
（ステップＳ２００）
利用者は、表示されているＷＥＢデータを印刷したい場合に、ＷＥＢ表示部１００のタッチパネルを操作して表示されているＷＥＢデータを選択する。
【００２６】
（ステップＳ２１０）
ステップＳ２００の利用者による操作により、制御部１０は、ＷＥＢデータ自動受信プログラムの実行を止め、ＷＥＢデータ自動受信モードを中止する。制御部１０は、利用者がＷＥＢデータを印刷するための表示画面をタッチパネル機能付き液晶パネル２００に表示する。図５は、本発明の実施形態における複合機のタッチパネルに表示されるＷＥＢデータ印刷モードの表示画面である。画面３００は、利用者が選択したＷＥＢデータを表示する画面である。戻るボタン３１０は、一つ前の表示画面に遷移するボタンである。印刷ボタン３２０は、表示されているＷＥＢデータを印刷するボタンである。終了ボタン３３０は、ＷＥＢデータ印刷モードを終了するボタンである。
【００２７】
（ステップＳ２２０）
利用者が印刷ボタン３２０を操作した場合には、ステップＳ２３０に進み、利用者が印刷ボタン３２０を操作していない場合には、ステップＳ２７０に進む。
【００２８】
（ステップＳ２３０）
複合機に、ＷＥＢデータ印刷時の課金システムがある場合には、ステップＳ２４０に進み、複合機に、ＷＥＢデータ印刷時の課金システムがない場合には、ステップＳ２５０に進む。
【００２９】
（ステップＳ２４０）
複合機は、課金システムを起動し、タッチパネル機能付き液晶パネル２００において、複合機に設定された印刷金額の投入を利用者に促し、所定の金額が投入されるとステップＳ２５０に進む。
【００３０】
（ステップＳ２５０）
複合機は、タッチパネル機能付き液晶パネル２００で表示しているＷＥＢデータをプリンター部６０へ転送し、印刷動作を開始する。
【００３１】
（ステップＳ２６０）
複合機は、タッチパネル機能付き液晶パネル２００で表示しているＷＥＢデータを印刷する。
【００３２】
（ステップＳ２７０）
利用者が終了ボタン３３０を操作した場合には、ステップＳ２８０に進み、利用者が終了ボタン３３０を操作していない場合には、ステップＳ２００に進む。ステップＳ２００に戻ることで、利用者は、継続してＷＥＢデータを印刷することができる。
【００３３】
（ステップＳ２８０）
利用者による印刷が終了したため、複合機は、ＷＥＢデータ自動受信制御プログラムを実行し、ＷＥＢデータ自動受信モードに遷移する。
【００３４】
本実施形態における図４は、ＷＥＢデータ自動受信中にＷＥＢデータを印刷する際のフローチャートであるが、利用者がタッチパネルでコピー機能、スキャナ機能、及びファクシミリ機能等を選択した時に、ＷＥＢデータ自動受信プログラムにＷＥＢデータ自動受信停止命令を受信させることによって、ＷＥＢデータ自動受信中でも複合機の機能を動作させることができる。
【００３５】
本実施形態において、インターネットから取得したＷＥＢデータをタッチパネル機能付き液晶パネル２００に表示させたが、出力を外部出力部１０５に接続された外部モニターに切り替えることにより、複合機本体から離れた場所に設置したモニターに、複合機がネットワークから取得したＷＥＢデータ情報を表示させることができる。
【００３６】
本実施形態における複合機において表示させるＷＥＢデータの内容は、例えば、広告が考えられる。従来、スポンサー提供のコマーシャル情報は、新聞に挿まれる広告やフリーペーパー等で配布されている。あまり土地勘のない外出先等で、その地域のコマーシャル情報が入手できれば、その地域ならではの名所や名店を簡単に見つけられたり、現地限定の催し等を発見できたり、利用者にとって便利になる。しかし、広告は、駅やコンビニで販売されている新聞には挿まれておらず、フリーペーパーは、配布されている場所を知らないと入手できない等、情報源の入手性に不便さがある。一方、インターネット上に配信されるコマーシャル情報は、パーソナルコンピューターや携帯電話等の情報端末を所持していれば入手が可能である。ところが、パーソナルコンピューターや携帯電話の場合、外出先で情報を入手する為には、利用者が検索等する必要があり、検索の為のキーワード等、外出先の予備知識が必要になり予備知識が無ければ、検索に手間取るなど、操作面での不便さがある。
【００３７】
さらに、利用面としては以下のような不便さがある。パーソナルコンピューターの場合には、保持した情報を表示する為にバッテリーの駆動時間を考慮する必要がある。携帯電話等に比べ、重さがあり、持ち運びに不便である。モバイル接続する際のインフラ環境が整っていないと使用できない。携帯電話の場合には、保持した情報を表示する為にバッテリーの駆動時間を考慮する必要がある。通信速度が遅い不便さある。取得可能な情報量が少ない不便さがある。一度に表示できる情報量が少ない不便さがある。
【００３８】
一方、複合機はコピー機として、コンビニ等に多く設置されている。本実施形態における複合機を利用すれば、複合機の管理者が、その地域ならではの名所や名店の情報を、予めＵＲＬのリストとして設定しておくことで、ＷＥＢデータ自動受信プログラムによって、タッチパネル機能付き液晶パネル２００や外部モニターに表示させることができる。また、利用者が、参照したＷＥＢデータの広告を印刷して持ち運びたい場合には、本実施形態における複合機の印刷機能により、容易に紙媒体としての広告情報を得ることができる。
【００３９】
本実施形態による複合機の機能を、パーソナルコンピューターと複合機を組み合わせることで実現することは可能ではある。しかし、この方法では、パーソナルコンピューターを新たに設置する必要があり、コストがかかる上に、パーソナルコンピューターの設置エリアも必要となる。また、不特定多数の人が利用できる場所にパーソナルコンピューターを設置する場合には、セキュリティ面での保護に不安が残る。したがって、本実施形態による複合機の機能で実現する優位性がある。
【００４０】
本実施形態による複合機に設定するＵＲＬは、必ずしもインターネット上の外部ネットワークのＵＲＬである必要はなく、ローカルネットワークの端末のＷＥＢサーバーのＵＲＬであってもよい。独自のローカルネットワーク網の端末で、店の広告用のＷＥＢサーバーを用意することで、店に設置した本実施形態による複合機により、来店者のみにタイムセール等の情報や、オリジナルクーポン券等を提供することによって、お得意様向けのサービスが可能になる。
【００４１】
以上、本発明の実施の形態が添付の図面を参照することにより説明された。但し、本発明は、上述の実施の形態に限定されず、要旨を逸脱しない範囲で当業者により適宜変更され得る。
【符号の説明】
【００４２】
１０  制御部
２０  ＲＡＭ
３０  ＲＯＭ
４０  ファクシミリ部
５０  ネットワークＩ／Ｆ部
６０  プリンター部
７０  スキャナ部
８０  操作パネル部
９０  システムバス
１００  ＷＥＢ表示部
１０５  外部出力部
１１０  Ｉ／Ｆ制御部
１２０  表示制御部
１３０  入力センサー制御部
２００  タッチパネル機能付き液晶パネル
３００  画面
３１０  戻るボタン
３２０  印刷ボタン
３３０  終了ボタン
【図１】
2011217027.tif 000003
【図２】
2011217027.tif 000004
【図３】
2011217027.tif 000005
【図４】
2011217027.tif 000006
【図５】
2011217027.tif 000007